(57)【要約】【課題】テンキーを備えない携帯端末において、容易かつ確実に通信端末の電話番号を登録する。【解決手段】テンキーを備えない携帯端末において、登録モードを起動する登録ボタンを備え、登録モードの起動中に着信した電話番号を電話番号記憶手段に登録する。  そして、発信ボタンを押下すると、電話番号記憶手段に登録された電話番号の通信端末に接続要求をする。また、接続手段により、通信端末から接続要求があった場合に接続し、当該通信端末と通話可能にする。【選択図】図２
2010183608.tif 000002
【特許請求の範囲】
【請求項１】
電話番号が登録される電話番号記憶手段と、
前記電話番号記憶手段に登録された電話番号の通信端末に接続要求をする発信ボタンと、
通信端末から接続要求があった場合に接続し、当該通信端末と通話可能にする接続手段と、
登録モードを起動する登録ボタンと、
前記登録モードの起動中に着信した電話番号を前記電話番号記憶手段に登録する電話番号登録手段と、
を具備することを特徴とする携帯端末。
【請求項２】
前記携帯端末は、テンキーを備えていない、
ことを特徴とする請求項１に記載の携帯端末。
【請求項３】
複数の電話ボタンを備え、
前記電話番号登録手段は、登録モードの起動中に着信した電話番号を、前記電話ボタンのうちの選択された１の電話ボタンに対応付けて前記電話番号記憶手段に登録し、
前記発信ボタンは、選択された１の電話ボタンに対応して前記電話番号記憶手段に登録された電話番号の通信端末に接続要求をする、
ことを特徴とする請求項１又は請求項２に記載の携帯端末。
【請求項４】
自己の識別情報を記憶した識別情報記憶手段と、
前記発信ボタンによる接続要求の際に、前記記憶した識別情報を当該接続要求を行う通信端末に送信する識別情報送信手段と、
前記通信端末が前記接続要求に応じて接続する前に、当該通信端末との回線を自動的に切断する第１の回線切断手段と、前記通信端末が前記接続要求に応じて接続したことを検出した直後に、当該通信端末との回線を自動的に切断する第２の回線切断手段と、の少なくとも一方の回線切断手段と、
を具備したことを特徴とする請求項１、請求項２又は請求項３に記載の携帯端末。
【請求項５】
電話番号記憶手段と、発信ボタンと、接続手段と、登録ボタンと、電話番号登録手段を備えた携帯端末において
前記発信ボタンの押下によって、前記電話番号記憶手段に登録された電話番号の通信端末に接続要求をする発信ステップと、
前記接続手段によって、通信端末から接続要求があった場合に接続し、当該通信端末と通話可能にする接続ステップと、
前記登録ボタンの押下によって、登録モードを起動する登録モード起動ステップと、
前記電話番号登録手段によって、前記前記登録モードの起動中に着信した電話番号を前記電話番号記憶手段に登録する電話番号登録ステップと、
を備えたことを特徴とする携帯端末の電話番号登録方法。
【発明の詳細な説明】
【技術分野】
【０００１】
本発明は、携帯端末及び携帯端末の電話番号登録方法関し、例えば、予め登録した端末にアクセスして着信履歴を残すものに関する。
【背景技術】
【０００２】
児童は、例えば、学校への登下校、塾への通学など、保護者の元を離れて行動することが多い。このような場合に、児童の安全を如何に確保するかは大きな課題となっている。
そのため、児童に携帯電話を携帯させ、保護者と児童が連絡をとれるようにするなどの対策が図られている。
一般に、このような場合、児童と保護者の携帯電話にそれぞれ双方の電話番号を登録し、呼出が容易に行えるようにするなどの工夫がなされている。
【０００３】
このように電話機などの通信装置に予め相手方の電話番号を登録する技術として、次の「電話番号の登録部を有する通信装置」がある。
この技術は、電話機などの通信装置において、相手方から着信した際に取得した相手方の電話番号やこちらから発信した際の電話番号を登録することにより、電話番号をその都度入力しなくても登録できるようにするものである。
【先行技術文献】
【特許文献】
【０００４】
【特許文献１】特開平５−４８７０５公報
【発明の概要】
【発明が解決しようとする課題】
【０００５】
しかし、携帯電話は高価であり、また通話料金や維持費も高額である。更に、児童が携帯電話を保護者の意図しない用途に用い、所謂私用電話をかける可能性もあった。
また、携帯電話の代わりに、安価な携帯型警報機を児童に持たせることも行われているが、携帯警報機では非常時に保護者と連絡できないため、児童の安全を守る手段としては十分とはいえなかった。
また、テンキーを備えない携帯電話では通信端末の電話番号を容易に登録することができなかった。
【０００６】
そこで本発明の第１の目的は、携帯端末において、容易かつ確実に通信端末の電話番号を登録することである。
また、本発明の第２の目的は、テンキーを備えない携帯端末において、容易かつ確実に通信端末の電話番号を登録することである。
また、本発明の第３の目的は、日常の連絡や非常時の通報に対応できる安価で簡便な携帯端末などを提供することである。
【課題を解決するための手段】
【０００７】
（１）請求項１記載の発明では、電話番号が登録される電話番号記憶手段と、前記電話番号記憶手段に登録された電話番号の通信端末に接続要求をする発信ボタンと、通信端末から接続要求があった場合に接続し、当該通信端末と通話可能にする接続手段と、登録モードを起動する登録ボタンと、前記登録モードの起動中に着信した電話番号を前記電話番号記憶手段に登録する電話番号登録手段と、を具備することを特徴とする携帯端末、により前記第１の目的を達成する。
（２）請求項２記載の発明では、前記携帯端末は、テンキーを備えていない、ことを特徴とする請求項１に記載の携帯端末、により前記第２の目的を達成する。
（３）請求項３記載の発明では、複数の電話ボタンを備え、前記電話番号登録手段は、登録モードの起動中に着信した電話番号を、前記電話ボタンのうちの選択された１の電話ボタンに対応付けて前記電話番号記憶手段に登録し、前記発信ボタンは、選択された１の電話ボタンに対応して前記電話番号記憶手段に登録された電話番号の通信端末に接続要求をする、ことを特徴とする請求項１又は請求項２に記載の携帯端末、により前記第１の目的を達成する。
（４）請求項４記載の発明では、自己の識別情報を記憶した識別情報記憶手段と、前記発信ボタンによる接続要求の際に、前記記憶した識別情報を当該接続要求を行う通信端末に送信する識別情報送信手段と、前記通信端末が前記接続要求に応じて接続する前に、当該通信端末との回線を自動的に切断する第１の回線切断手段と、前記通信端末が前記接続要求に応じて接続したことを検出した直後に、当該通信端末との回線を自動的に切断する第２の回線切断手段と、の少なくとも一方の回線切断手段と、を具備したことを特徴とする請求項１、請求項２又は請求項３に記載の携帯端末、により前記第１の目的を達成する。
（５）請求項５記載の発明では、電話番号記憶手段と、発信ボタンと、接続手段と、登録ボタンと、電話番号登録手段を備えた携帯端末において前記発信ボタンの押下によって、前記電話番号記憶手段に登録された電話番号の通信端末に接続要求をする発信ステップと、前記接続手段によって、通信端末から接続要求があった場合に接続し、当該通信端末と通話可能にする接続ステップと、前記登録ボタンの押下によって、登録モードを起動する登録モード起動ステップと、前記電話番号登録手段によって、前記前記登録モードの起動中に着信した電話番号を前記電話番号記憶手段に登録する電話番号登録ステップと、を備えたことを特徴とする携帯端末の電話番号登録方法、により前記第１の目的を達成する。
【発明の効果】
【０００８】
請求項１、請求項３、請求項５記載の発明によれば、登録モードの起動ボタンを備え、登録モードの起動中に着信した電話番号を登録するので、容易かつ確実に通信端末の電話番号を登録することができる。
請求項２記載の発明によれば、登録モードの起動ボタンを備え、登録モードの起動中に着信した電話番号を登録するので、テンキーを備えない携帯端末においても、容易かつ確実に通信端末の電話番号を登録することができる。
請求項４記載の発明によれば、更に、発信機能を制限することにより、日常の連絡や非常時の通報に対応できる安価で簡便な携帯端末などを提供することができる。
【図面の簡単な説明】
【０００９】
【図１】通信システムのネットワーク構成を示した図である。
【図２】着信端末の外観を示した図である。
【図３】着信端末のハードウェア的な構成を示した図である。
【図４】着信端末が記憶する各種データを説明するための図である。
【図５】アプリケーションサーバのハードウェア的な構成を示した図である。
【図６】ユーザデータベースの論理的な構成を示した図である。
【図７】着信端末に通信端末の電話番号を登録する手順を説明するためのフローチャートである。
【図８】着信端末が短押しモードで通信端末に接続する手順を説明するためのフローチャートである。
【図９】着信端末が長押しモードで通信端末に接続する手順を説明するためのフローチャートである。
【図１０】着信端末が発信、及び着信を行う手順を説明するためのフローチャートである。
【図１１】着信端末に電子メール本文を登録する手順を説明するためのフローチャートである。
【図１２】着信端末が電子メールを送信する手順を説明するためのフローチャートである。
【図１３】着信端末に電子メール本文を登録する手順の変形例を説明するためのフローチャートである。
【図１４】着信端末が電子メールを送信する手順の変形例を説明するためのフローチャートである。
【図１５】ウェブサイトが提供する画面を説明するための図である。
【図１６】着信端末に測位を行わせる手順を説明するためのフローチャートである。
【図１７】地図画面の一例を示した図である。
【発明を実施するための形態】
【００１０】
（１）実施の形態の概要
通信端末２（図１）と着信端末３は電話機能を有しており、通信端末２は、例えば保護者が使用し、着信端末３は児童が携帯する。通信端末２から着信端末３へは制限なく接続要求を行うことができるようになっており、一方、着信端末３は、予め登録した通信端末２以外には接続要求できないようになっている。着信端末３で通話ボタンを短押しした場合、着信端末３は、通信端末２に接続要求するが、通信端末２に接続する前に回線を切断する。これによって、着信端末３は、通話料をかけずに通信端末２に着信履歴を残すことができる。また、着信端末３で、通話ボタンを長押しした場合、着信端末３は、通信端末２に接続した直後に回線を切断する。これによって通話料金を最低に抑えながら保護者を通信端末２に呼び出すことができる。
【００１１】
（２）実施の形態の詳細
本実施の形態では、電話の音声回線を接続する際の用語として発信、着信、接続を以下の意味で用いることにする。ここでは、第１の電話から第２の電話に電話をかける場合を例に採る。
発信は、第１の電話が第２の電話を対象として交換機などに回線の接続要求を行う処理である。接続要求に際し、第１の電話は第２の電話に自己の電話番号を通知する。発信は発番とも呼ばれることがある。
着信は、第２の電話が第１の電話による接続要求を受け付ける処理である。接続要求の受け付けに際し、第２の電話は第１の電話の電話番号の通知を受ける。第２の電話はこの電話番号を着信履歴として保存する。また、第２の電話は接続要求を受けている間、呼出音を出力するなどする。
接続は、第２の電話が第１の電話からの接続要求を受け入れ、第１の電話と第２の電話を通話可能とする処理である。
第２の電話機から第１の電話機に接続する場合も同様である。
【００１２】
図１は、本実施の形態に係る通信システム１のネットワーク構成の一例を示した図である。
通信システム１では、通信端末２、着信端末３、キャリアシステム１００、サービス会社システム２００、ＧＰＳ（Ｇｌｏｂａｌ  Ｐｏｓｉｔｉｏｎｉｎｇ  Ｓｙｓｔｅｍｓ）衛星４、音声回線ネットワーク５、警察機関システム３０１、消防機関システム３０２、海上保安庁機関システム３０３などが通信ネットワークによって接続可能に配設されている。
本実施の形態では、一例として、通信端末２は保護者などが利用し、着信端末３は児童などが外出時に携帯するものとする。
【００１３】
以下、保護者など、通信端末２のユーザを着信端末管理者と呼び、児童など、着信端末３のユーザを着信端末使用者と呼ぶことにする。また、着信端末管理者と着信端末使用者を区別しない場合は単にユーザと呼ぶことにする。
なお、図では通信端末２を１台のみ示しているが、例えば、祖父母用の通信端末、地域の防犯担当者用の通信端末など、複数台（本実施の形態では３台まで）存在することができる。
【００１４】
通信端末２は、例えば、携帯電話、パーソナルコンピュータ、固定電話など、第１の電話機と同様の接続機能を備えた端末装置で構成されており、着信端末３と通話する通話機能、着信端末３から電子メールを受信する電子メール受信機能、サービス会社システム２００に着信端末３の現在位置を問い合わせる現在位置問い合わせ機能などを備えている。
【００１５】
着信端末３は、第１の電話と同様の接続機能を備えた携帯端末であって、通信端末２に発信して着信履歴を残す発信機能、通信端末２からの発信を着信して通信端末２と接続し、通話する通話機能、通信端末２に電子メールを送信する電子メール送信機能、現在位置をＧＰＳ４とキャリアシステム１００から取得する機能などを備えている。
着信端末３は、例えば、１年程度分の通信費用や諸経費がプリペイド方式で含まれた定価で販売されており、着信端末３の購入者は、着信端末３を購入後は費用を負担せずに着信端末３を使用することができる。
【００１６】
ＧＰＳ衛星４は、正確な時計を搭載した人工衛星であり、地球を周回しながら時刻を着信端末３、基地局１０１、その他の受信者に送信している。
図１では、ＧＰＳ衛星４を１台のみ示しているが、これは複数台存在し、これらのＧＰＳ衛星４が送信する時刻を地上で解析することにより、地上での現在位置を得ることができる。
【００１７】
音声回線ネットワーク５は、通信端末２と着信端末３が通話を行うための音声通信用のネットワークである。
音声回線ネットワーク５は、通信端末２と着信端末３で通話するための音声信号の他に、通信端末２の着信履歴に残すための着信端末３の電話番号やその他の制御信号を伝達することができる。
音声回線ネットワーク５は、音声を伝達する音声回線と、発信、電話番号、着信などの信号を伝達する信号回線を組み合わせて構成することもできる。
【００１８】
警察機関システム３０１、消防機関システム３０２、海上保安庁機関システム３０３は、それぞれ警察、消防、海上保安庁が緊急電話を受け付けるシステムであり、音声回線ネットワーク５に接続している。
着信端末３からこれらのシステムに発信して通話することにより、着信端末３からこれらの機関の担当者と会話することができる。
【００１９】
キャリアシステム１００は、例えば、電話会社などが運営するシステムであり、通信端末２と着信端末３との間の通信の仲介、あるいは、通信端末２とサービス会社システム２００との間、及び着信端末３とサービス会社システム２００との間の通信の仲介、及びＧＰＳ衛星４を使った現在位置取得機能の補助を行う。
なお、図１では、音声回線ネットワーク５をキャリアシステム１００の外部に記してあるが、音声回線ネットワーク５もキャリアシステム１００に含めることができる。
【００２０】
キャリアシステム１００は、基地局１０１、データ通信変換装置１０２、基地局制御局１０３、交換機１０４、認証サーバ１０５、ＧＰＳサーバ１０６、基地局データベース１０７、ＳＭＳ配信サーバ１０８、パケットネットワーク１０９などから構成されている。
基地局１０１は、携帯電話網の末端にあたる装置であって、着信端末３と無線によって直接交信をする。
基地局制御局１０３は、基地局１０１やその他の図示しない基地局とデータ通信変換装置１０２を結ぶ装置である。
データ通信変換装置１０２は、データ通信間の接続を切り替える装置であって、基地局制御局１０３とパケットネットワーク１０９を結ぶ。
【００２１】
交換機１０４は、回線間の接続を切り替える装置である。交換機１０４は、音声回線ネットワーク５と基地局制御局１０３を接続したり、あるいは、図示しない他の交換機に接続したりなどする。
パケットネットワーク１０９は、データ通信用のネットワークであり、電子メールやその他のデジタルデータを伝達することができる。また、パケットネットワーク１０９は、インターネットと接続したり、あるいはインターネットでパケットネットワーク１０９を構成したりすることもできる。
認証サーバ１０５は、接続の正統性を確認するサーバ装置であって、パケットネットワーク１０９からＧＰＳサーバ１０６にアクセスする者の認証を行う。
【００２２】
ＧＰＳサーバ１０６は、着信端末３が現在位置を取得するのを支援するサーバであって、着信端末３がＧＰＳ信号を用いて得た測位情報から着信端末３の現在位置を計算し、測位計算結果（現在位置の緯度経度など）を着信端末３に送信する。
一般に、着信端末３のみでＧＰＳ衛星４からの信号を解析し、着信端末３の現在位置を測位する場合は１５分程度の時間を要するが、ＧＰＳサーバ１０６の支援を受けることにより短時間（ほぼリアルタイム）で着信端末３は現在位置を得ることができる。
【００２３】
基地局データベース１０７は、基地局情報を管理するデータベースであり、基地局制御局１０３が基地局を制御する際に使用する。
ＳＭＳ配信サーバ１０８は、ショートメッセージを配信するサーバである。なお、ＳＭＳはＳｈｏｒｔ  Ｍｅｓｓａｇｅ  Ｓｅｒｖｉｃｅを意味する。
ショートメッセージとは、電話機などの端末に送信できる情報（例えば、文字情報）であり、電話番号により送信先の端末を指定することができる。
本実施の形態では、ショートメッセージを用いて着信端末３に各種コマンドを送信し、測位の実行や電子メールの登録などの各種情報処理を着信端末３に行わせることができる。
【００２４】
サービス会社システム２００は、着信端末３の利用を支援するシステムであり、認証サーバ２０１、アプリケーションサーバ２０２、及びＳＭＳ配信要求サーバ２０３などから構成されている。
認証サーバ２０１は、通信端末２の着信端末管理者などを登録しており、着信端末管理者がアプリケーションサーバ２０２にアクセスする際にユーザＩＤ、パスワードなどによりユーザ認証を行う。
【００２５】
アプリケーションサーバ２０２は、サービス全般の動作を管理しており、ウェブサイトによる通信端末２とのユーザインターフェースの提供、パケット通信の受信、ショートメッセージ送信の管理、現在位置問い合わせへの対応などを行っている。
このうち、ウェブサイトでは、着信端末３に登録する電子メールアドレスや電子メール本文を受け付けたり、着信端末３の現在位置問い合わせを受け付けたり、着信端末３の現在位置を地図に重ね合わせて提供したりする。
【００２６】
ＳＭＳ配信要求サーバ２０３は、ＳＭＳ配信サーバ１０８に対してショートメッセージの送信を要求するサーバである。
例えば、ＳＭＳ配信要求サーバ２０３は、アプリケーションサーバ２０２から、電子メールアドレスや電子メール本文を着信端末３に登録させる旨の指令を受けると、これらの情報を登録させるためのショートメッセージを作成し、これを着信端末３宛てに送信するようにＳＭＳ配信サーバ１０８に依頼する。
また、ＳＭＳ配信要求サーバ２０３は、アプリケーションサーバ２０２から、着信端末３の測位を行う旨の指令を受けると、着信端末３に測位を行わせるショートメッセージを作成し、これを着信端末３宛てに送信するようにＳＭＳ配信サーバ１０８に依頼する。
【００２７】
次に、通信システム１において、情報や信号が伝達される経路について説明する。以下では、伝達経路を矢線印にて示す。
まず、着信端末３が通信端末２の電話番号を用いて通信端末２に発信する場合は、次の経路１を経由する。（経路１）「着信端末３→基地局１０１→基地局制御局１０３→交換機１０４→音声回線ネットワーク５→通信端末２」
【００２８】
一方、通信端末２が着信端末３の電話番号を用いて着信端末３に発信する場合は、次の経路２（経路１の逆）を経由する。（経路２）「通信端末２→音声回線ネットワーク５→交換機１０４→基地局制御局１０３→基地局１０１→着信端末３」  通信端末２と着信端末３が通話する場合、通信端末２から着信端末３への音声信号は経路２により伝達され、着信端末３から通信端末２への音声信号は経路１により伝達される。
【００２９】
次に、着信端末３が通信端末２に電子メールを送信する場合は、次の経路３を経由する。（経路３）「着信端末３→基地局１０１→基地局制御局１０３→データ通信変換装置１０２→パケットネットワーク１０９→認証サーバ２０１→アプリケーションサーバ２０２→認証サーバ２０１→パケットネットワーク１０９→通信端末２」  次に、通信端末２が電子メールアドレスや電子メール本文を着信端末３に登録する場合は、次の経路４を経由する。（経路４）「通信端末２→パケットネットワーク１０９→認証サーバ２０１→アプリケーションサーバ２０２→ＳＭＳ配信要求サーバ２０３→ＳＭＳ配信サーバ１０８→交換機１０４→基地局制御局１０３→基地局１０１→着信端末３」
【００３０】
次に、通信端末２が着信端末３に測位を要求する場合は、次の経路５を経由する。（経路５）「通信端末２→パケットネットワーク１０９→認証サーバ２０１→アプリケーションサーバ２０２→ＳＭＳ配信要求サーバ２０３→ＳＭＳ配信サーバ１０８→交換機１０４→基地局制御局１０３→基地局１０１→着信端末３」  この測位要求に対し、着信端末３が通信端末２に測位計算結果を送信する場合は、次の経路６を経由する。（経路６）「着信端末３→基地局１０１→基地局制御局１０３→データ通信変換装置１０２→パケットネットワーク１０９→認証サーバ２０１→アプリケーションサーバ２０２→認証サーバ２０１→パケットネットワーク１０９→通信端末２」
【００３１】
次に、着信端末３が警察機関システム３０１、消防機関システム３０２、海上保安庁機関システム３０３にアクセスする場合は、次の経路７を経由する。（経路７）「着信端末３→基地局１０１→基地局制御局１０３→交換機１０４→音声回線ネットワーク５→警察機関システム３０１、消防機関システム３０２、海上保安庁機関システム３０３」
【００３２】
図２は、着信端末３の外観の一例を示した図である。
着信端末３は、電源スイッチ１１、緊急連絡ボタン１２、１３、１４、ディスプレイ１６、スピーカ１５、マイク１７、通話ボタン１８、終話ボタン１９、電話ボタン群、電子メールボタン群、登録ボタン２０などを備えている。
電源スイッチ１１は、着信端末３の電源をオンオフする。
【００３３】
緊急連絡ボタン１２、１３、１４は、それぞれ警察機関システム３０１、消防機関システム３０２、海上保安庁機関システム３０３に発信するためのボタンである。
着信端末使用者は、これらのボタンを押下することにより、警察機関システム３０１、消防機関システム３０２、海上保安庁機関システム３０３に発信し、これらの機関の担当者と通話することができる。
これらのボタンを不用意に押下しないように、ボタンロックするスイッチなどを電源スイッチ１１の近傍などに設けてもよい。
【００３４】
スピーカ１５は、通話の際に相手方の音声を出力し、マイク１７は、通話の際に着信端末使用者の音声を入力する。
ディスプレイ１６は、例えば、登録してある電話番号や電子メールアドレスや電子メール本文を表示するなど、各種の文字・記号・数字などを表示する。
【００３５】
登録ボタン２０は、着信端末３を登録モードにするためのボタンであって、登録ボタン２０を押下するごとに通常モードと登録モードを切り替えることができる。
通常モードは、通信端末２への発信、通信端末２との通話、電子メールの送信などの通常の機能を発揮するモードであり、登録モードは、通信端末２の電話番号を着信端末３に登録する機能を発揮するモードである。
なお、登録ボタン２０は、図では着信端末３の筐体から突出して記されているが、不用意に押下しないように、筐体に形成された凹部に設けることもできる。
【００３６】
電話ボタン群は、通話ボタン１８と終話ボタン１９の下部に設けられており、３つの電話ボタンから構成されている。それぞれの電話ボタンには異なる通信端末２の電話番号を登録することができる。
電子メールボタン群は、電話ボタン群の下部に設けられており、３つの電子メールボタンから構成されている。それぞれの電子メールボタンには、異なる電子メールアドレスを登録することができる。
【００３７】
一方、電子メール本文は、複数（本実施の形態では５個）登録することができ、電子メール送信の際に所望のものが選択できるようになっている。
電子メール本文としては、例えば、「今から帰る」、「迎えに来て」などと、日常頻繁に用いられる連絡内容が用いられる。
所望の電子メールアドレスが登録されている電子メールボタンを押下すると、押下の度に、電子メール本文が次ディスプレイ１６に順次表示されるようになっており、着信端末使用者は、所望の電子メール本文が表示されるまで、電子メールボタンを押下する。
なお、着信端末３は、電子メール本文の表示が一巡すると、先頭の電子メール本文から再度表示するようになっている。
このようにして着信端末使用者は、電子メールボタンを押下することにより電子メール本文をロータリ選択することができ、所望の電子メールアドレスと所望の電子メール本文の組合せを選択することができる。
【００３８】
通話ボタン１８は、通信端末２への発信、あるいは通信端末２への電子メール送信を行うためのボタンである。
電話ボタンを押下した後、通話ボタン１８を押下すると、着信端末３は、当該電話ボタンに登録されている電話番号の通信端末２に発信し、キャリアシステム１００に当該通信端末２への接続を要求する。
【００３９】
通信端末２に対する発信に関しては、着信端末３は、通話ボタン１８を短時間押下した後に離す短押しモードと、通話ボタン１８を長時間押下した後に離す長押しモードの２つのモードを備えている。
通話ボタン１８を押下している時間の長短は、着信端末３が、通話ボタン１８が押下されてから離されるまでの時間を計測し、この計測した時間を所定の基準値と対比することにより判断する。
【００４０】
着信端末使用者が短押しモードで発信した場合、着信端末３は、通信端末２が接続要求に応じて接続する前に（即ち、受話器を取るなどする前に）回線を切断する。通信端末２には着信端末３の着信履歴が残る。
着信端末管理者は、通信端末２に残された着信履歴によって着信端末３からアクセスされたことを認識することができ、通信端末２から着信端末３に発信して（即ち、電話をかけて）通話することができる。
この場合、通話料金は通信端末２側に発生するため、着信端末３側では費用を負担する必要がない。
なお、終話ボタン１９が押下されると、着信端末３は、通信端末２との回線を切断する。
【００４１】
着信端末使用者が長押しモードで発信した場合、着信端末３は、通信端末２が接続要求に応じた直後に（即ち、受話器を取るなどした直後に）回線を切断する。通信端末２には着信端末３の着信履歴が残る。
即ち、着信端末３は、通信端末２が接続するまで（即ち、着信端末管理者が受話器をとるまで）通信端末２での呼出を継続する。着信端末使用者は、着信端末管理者と確実に通話したい場合は、このように長押しモードによって、着信端末管理者を通信端末２に呼び出すことができる。着信端末管理者は着信履歴から着信端末３からの呼出であると認識し、着信端末３に発信して通話することができる。
【００４２】
長押しモードの場合、通信端末２が接続した時点で着信端末３側に通話料金が発生するが、その金額は（着信端末３が接続直後に回線を切断するため）通話最低料金であり、しかもプリペイド方式ですでに決済しているため、着信端末３側が新たに通話料金を支払う必要はない。なお、着信端末３が、例えば、通信端末２が接続すると、通話最低料金時間、例えば１０秒間接続を維持した後回線を切断するように構成することも可能である。
【００４３】
一方、電子メールに関しては、電子メールボタンを押下して電子メールアドレスと電子メール本文を選択した後、通話ボタン１８を押下すると、着信端末３は、選択された電子メール本文を内容とし、当該電子メールボタンに登録されている電子メールアドレスを宛先とする電子メールを作成し、アプリケーションサーバ２０２に送信する。この電子メールは、アプリケーションサーバ２０２から通信端末２に送信されることとなる。
【００４４】
図３は、着信端末３のハードウェア的な構成の一例を示した図である。
着信端末３は、電話通信部２１、ＧＰＳ通信部２２、制御部２３、ボタン・スイッチ２４、タイマ２５、メモリ部２６、入力部２７、出力部２８などから構成されている。
電話通信部２１は、制御部２３と基地局１０１が通信する際の無線通信を行う。
ＧＰＳ通信部２２は、ＧＰＳ衛星４からＧＰＳ信号を受信し、制御部２３に出力する。
ボタン・スイッチ２４は、電源スイッチ１１、緊急連絡ボタン１２、１３、１４などを構成している。
【００４５】
タイマ２５は、制御部２３が発生するクロックを用いて通話ボタンで発信してからの経過時間を計測する。後述のように、着信端末３は、電話ボタンが押下されて通信端末２に発信した後、一定時間の間は他の端末からの着信を拒否するが、タイマ２５は、この一定時間を計測するのに用いられる。
【００４６】
メモリ部２６は、例えば、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）などで構成された読み書き可能な記憶装置である。
メモリ部２６には、通信端末２の電話番号、電子メールアドレス、及び電子メール本文などが記憶されている。
入力部２７は、通話ボタン１８、終話ボタン１９、電話ボタン群、電子メールボタン群、などを構成している。
【００４７】
制御部２３は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、クロックなどを備えたコンピュータであり、ＲＯＭやメモリ部２６に記憶されているプログラムに従って、発信機能、着信機能、通話機能、電話ボタンへの電話番号登録機能、電子メールボタンへの電子メール登録機能、電子メール送信機能、測位機能などの各種の機能を発揮させる。
【００４８】
図４（ａ）は、メモリ部２６に記憶されている電話ボタンデータの論理的な構成を示した図である。
電話ボタンデータでは、ボタン番号１、２、３に対応して、異なる通信端末２の電話番号が登録されている。
ボタン番号は電話ボタンに対応しており、着信端末３は、電話ボタン群のうちの何れかの電話ボタンが押下されると、電話ボタンデータから当該電話ボタンに対応する電話番号を取得して発信を行う。
【００４９】
図４（ｂ）は、メモリ部２６に記憶されている電子メールボタンデータの論理的な構成を示した図である。
電子メールボタンデータでは、３つの通信端末２の電子メールアドレスに対して、それぞれ電子メール本文が登録されており、これらは、それぞれボタン番号１、２、３に対応づけられている。
ボタン番号は電子メールボタンに対応しており、各ボタン番号に対応させて電子メールアドレスが記憶されている。
電子メール本文は、ボタン番号や電子メールアドレスとは対応させずに複数個（図の例では５個）記憶されており、着信端末使用者が、電子メール送信の際に電子メール本文を選択できるようになっている。
なお、後述の変形例のように、電子メールアドレスと電子メール本文をアプリケーションサーバ２０２で保存し、着信端末３からの指定により、アプリケーションサーバ２０２で電子メールを作成して通信端末２に送信するように構成することも可能である。
【００５０】
図５は、アプリケーションサーバ２０２のハードウェア的な構成の一例を示した図である。
アプリケーションサーバ２０２は、ＣＰＵ３１、ＲＯＭ３２、ＲＡＭ３３、通信制御部３４、記憶部３５などがバスライン３６で接続されて構成されている。
ＣＰＵ３１は、ＲＯＭ３２、ＲＡＭ３３、記憶部３５などに記憶されているプログラムに従って、ウェブサイトの運営機能、ショートメッセージ送信の管理機能、現在位置問い合わせへの対応機能などを発揮する。
ＲＯＭ３２は、リードオンリメモリであって、アプリケーションサーバ２０２を動作させるための基本的なプログラムやパラメータが記憶されている。
ＲＡＭ３３は、ランダムアクセスメモリであって、ＣＰＵ３１が情報処理を行う際のワーキングエリアを提供する。
【００５１】
通信制御部３４は、アプリケーションサーバ２０２を認証サーバ２０１やＳＭＳ配信要求サーバ２０３に接続するインターフェースである。
記憶部３５は、例えば、ハードディスクなどによる大容量の記憶装置であり、各種プログラムを格納したプログラム格納部３７と、データを格納したデータ格納部３８が形成されている。
【００５２】
プログラム格納部３７には、ＣＰＵ３１に各種機能を発揮させるためのプログラムが記憶されている。
データ格納部３８には、着信端末３の現在位置を地図に重ね合わせてウェブサイトで表示するための地図データなどが記憶されている。
以上、アプリケーションサーバ２０２について説明したが、認証サーバ２０１やＳＭＳ配信要求サーバ２０３のハードウェア的な構成もアプリケーションサーバ２０２と基本的に同じである。
【００５３】
図６は、認証サーバ２０１に記憶されているユーザデータベースの論理的な構成を示した図である。
ユーザデータベースは、「ユーザＩＤ」、「パスワード」、「着信端末ＩＤ」、「氏名」、「住所」などの項目から構成されている。
「ユーザＩＤ」は、着信端末管理者に付与されたＩＤ情報である。
「パスワード」は、着信端末管理者が設定したパスワードである。
認証サーバ２０１は、着信端末管理者がアプリケーションサーバ２０２のウェブサイトにアクセスする際に、ユーザＩＤとパスワードを用いて着信端末管理者を認証する。
【００５４】
「着信端末ＩＤ」は、着信端末３のＩＤ情報であり、例えば、着信端末３の電話番号を用いることができる。
「氏名」は、着信端末管理者の氏名である。
「住所」は、着信端末管理者の住所である。
【００５５】
図７は、着信端末３に通信端末２の電話番号を登録する手順を説明するためのフローチャートである。この手順では、経路２が用いられる。
まず、ユーザは、着信端末３で登録ボタン２０を操作し、着信端末３で登録モードを起動する（ステップ５）。そして、ユーザは、電話ボタン群のうち、所望の電話ボタンを押下して電話番号を登録する電話ボタンを選択する。
次に、ユーザは、通信端末２で着信端末３の電話番号を入力し、着信端末３に対して発信して接続要求する（ステップ１０）。
【００５６】
着信端末３は、通信端末２からの接続要求を着信して、通信端末２の電話番号を受信する（ステップ１５）。
着信端末３は、ステップ５で選択された電話ボタンに対応づけて、通信端末２から受信した電話番号を電話ボタンデータベースに登録する（ステップ２０）。
このようにして、着信端末３は、登録モード中に着信した電話番号を登録する。そのため、着信端末３では、特に複雑な操作を行うことなく電話番号を登録することができる。
【００５７】
図８は、着信端末３が短押しモードで通信端末２に発信する手順を説明するためのフローチャートである。この手順では、ステップ３０〜４５までは経路１が用いられ、ステップ５０〜６０までは経路２が用いられる。
まず、着信端末３は、着信端末使用者から、電話ボタンの押下を受け付ける（ステップ３０）。着信端末３は、押下された電話ボタンを電話ボタンデータベースと照合し、発信する電話番号を特定する。
次に、着信端末３は、着信端末使用者から通話ボタン１８の押下を受け付け、通話ボタン１８が短押しされたことを検出する（ステップ３５）。
これによって、着信端末３は、着信端末使用者が短押しモードを選択したことを認識し、短押しモードにて通信端末２に発信し、接続要求する。
【００５８】
通信端末２は、着信端末３からの着信により、着信端末３の電話番号を受信する（ステップ４０）。
次に、着信端末３は、通信端末２が接続する前に（即ち、受話器を取る前に）通信端末２との回線を切断する（ステップ４５）。
【００５９】
回線を切断する方法としては、例えば、次のものが考えられる。
着信端末３は、所定の信号を交換機１０４に送出することにより、交換機１０４に通信端末２に着信履歴を残させて回線を切断させる。この際、通信端末２で呼出音を所定回数（例えば、１回）出力させることもできる。なお、この場合は、このような機能を交換機１０４に備えておくことになる。
または、通信端末２に接続要求をした後、所定時間（例えば、通信端末２で呼出音を所定回数出力する時間を見込んだ時間）経過後に回線を切断するように着信端末３を構成することもできる。
あるいは、着信端末３は、通信端末２に接続要求中に交換機１０４から着信端末３に送信される呼出中の呼出音（ＲＢＴ信号：Ｒｉｎｇ  Ｂａｃｋ  Ｔｏｎｅ）を計数し、当該呼出音が所定回数計数された際に回線を切断するように着信端末３を構成することもできる。例えば、最初の呼出音を検出してから約１．５秒後に回線を切断するように構成することができる。
【００６０】
着信端末３と通信端末２の回線が切断されると、通信端末２には、着信端末３の電話番号が着信履歴に保存される。
着信端末管理者は、着信履歴を確認し、着信端末３から接続要求があったことを認識する。
そして、着信端末管理者は、通信端末２を操作し、着信した着信端末３の電話番号を用いて着信端末３に発信する（ステップ５０）。
【００６１】
一方、着信端末３は、通信端末２との回線を切断した後、タイマ２５で経過時間を計測し、一定時間内は、他の通信端末２や他の端末からの接続要求を拒否する（ステップ５５）。
これは、着信端末使用者が通信端末２からの着信を待っている間に、他の端末から接続要求を受けて、通信端末２と接続できない事態を回避するためである。
着信端末３は、通信端末２から着信があると、通信端末２の電話番号により通信端末２を識別し、呼出音を出力する。
呼出音を受けて着信端末使用者が通話ボタン１８を押下すると、着信端末３は、通信端末２に接続し、その後、着信端末管理者と着信端末使用者は通話を行うことができる（ステップ６０）
【００６２】
図９は、着信端末３が長押しモードで通信端末２に接続する手順を説明するためのフローチャートである。この手順では、ステップ３０〜１１０までは経路１が用いられ、ステップ５０〜６０までは経路２が用いられる。なお、短押しモードと同じ手順には同じステップ番号を付して説明を簡略化する。
まず、着信端末３は、着信端末使用者から、電話ボタンの押下を受け付ける（ステップ３０）。
次に、着信端末３は、着信端末使用者から通話ボタン１８の押下を受け付け、通話ボタン１８が長押しされたことを検出する（ステップ１００）。
これによって、着信端末３は、着信端末使用者が長押しモードを選択したことを認識し、長押しモードにて通信端末２に発信して接続要求する。この際、着信端末３は、自己の電話番号を通信端末２に送出する。
【００６３】
通信端末２は、着信端末３からの着信により、着信端末３の電話番号を受信する（ステップ４０）。
着信端末３は、通信端末２が接続要求を受け付けるまで回線の接続を維持する。この間、通信端末２では、呼出音が出力され続ける。
着信端末管理者は、この呼出音に応じて通信端末２を操作し（即ち、受話器を取る）、通信端末２を着信端末３に接続する（ステップ１０５）。
着信端末３は、通信端末２が接続した直後に（即ち、受話器を取った直後に）通信端末２との回線を切断する（ステップ１１０）。
【００６４】
回線を切断する方法としては、例えば、次のものが考えられる。
着信端末３は、所定の信号を交換機１０４に送出することにより、交換機１０４に通信端末２の接続を確認して回線を切断させる。この場合は、このような機能を交換機１０４に備えておく。
または、着信端末３は、通信端末２の接続要求中に交換機１０４から着信端末３に送信される呼出中の呼出音（ＲＢＴ信号）の中断、または回線の接続信号を検出して回線を切断するように構成することもできる。
【００６５】
そして、通信端末２は、着信履歴によって着信端末３に発信し、着信端末３に接続要求を行う（ステップ５０）。
一方、着信端末３は、通信端末２との回線を切断した後、タイマ２５で時間を計測し、一定時間内には、着信端末３から接続要求を行った通信端末２以外の端末からの接続要求を拒否する（ステップ５５）。
着信端末３は、通信端末２から着信があると、通信端末２の電話番号により通信端末２を識別し、呼出音を出力する。
呼出音を受けて着信端末使用者が通話ボタン１８を押下すると、着信端末３は、通信端末２に接続し、その後、着信端末管理者と着信端末使用者は通話を行うことができる（ステップ６０）。
【００６６】
図１０は、着信端末３が発信、及び着信を行う手順を説明するためのフローチャートである。
以下の手順は、着信端末３の電源がオンの間継続して行われる。
まず、着信端末３は、イベントの発生を監視する（ステップ２０５）。イベントとは、例えば、通話ボタン１８が押下されるなど、着信端末３の状態の変化であって、着信端末３に何らかの動作を行わせるための端緒となるものである。
イベントが発生しない場合（ステップ２０５；Ｎ）、着信端末３は引き続きイベントの発生を監視する。
イベントが発生した場合（ステップ２０５；Ｙ）、着信端末３は、イベントの解析を行う（ステップ２１０）。
イベントとしては、電話ボタンを押下して通信端末２に発信後、一定時間が経過したタイムアウトと、通信端末２からの着信と、通話ボタン１８の押下後の電話ボタンの押下がある。
【００６７】
イベントが、タイムアウトの発生であった場合（ステップ２１０；タイムアウト発生）、着信端末３は、保存電話番号を消去し、タイマ２５を終了する（ステップ２１５）。
この保存電話番号は、電話ボタンの何れかが押下された場合に当該電話ボタンの電話番号を記憶しておいたものであり、端末から接続要求があった場合に、この端末の電話番号が、押下した電話ボタンの電話番号と同じものであるか否かを判断するためのものである。
ステップ２１５でタイマ２５を終了した後は、何れの端末からの着信も受けることができる。
なお、タイマ２５でのタイムアウトの他に、着信端末３に解除ボタンを設けておき、当該ボタンが着信端末使用者によって押下された場合にステップ２１５を実行する機能を着信端末３に備えることもできる。
【００６８】
イベントが着信であった場合（ステップ２１０；着信発生）、着信端末３は、タイマ２５が動作中か否か（即ち、発信してから一定時間が経過したか否か）を確認する（ステップ２２０）。
タイマ２５が動作していない場合（即ち、通信端末２に発信してから一定時間経過した場合）（ステップ２２０；Ｎ）、着信端末３は、接続要求してきた端末が通信端末２であるか否かにかかわらず、着信端末使用者が通話ボタン１８を押下すると着信を受け、これによって着信端末使用者は発信者と通話する（ステップ２２５）。
着信端末使用者が終話ボタン１９を押下するか、あるいは発信者が端末で回線切断操作を行うと着信端末３、及び発信元の端末は回線を切断する（ステップ２３０）。
【００６９】
一方、タイマ２５が動作中の場合（即ち、通信端末２に発信してから一定時間経過していない場合）（ステップ２２０；Ｙ）、着信端末３は、更に、発信元の端末の電話番号が、押下された電話ボタンの電話番号か否かを確認する（ステップ２３５）。
押下された電話ボタンの電話番号でなかった場合（ステップ２３５；Ｎ）、着信端末３は、接続を拒否し、回線を切断する（ステップ２４０）。
【００７０】
押下された電話ボタンの電話番号であった場合（ステップ２３５；Ｙ）、発信元の端末が押下した電話ボタンの通信端末２であると確認でき、着信端末３は呼出音を出力する。そして、着信端末使用者が通話ボタン１８を押下すると、着信端末３は通信端末２に接続し、着信端末管理者と着信端末使用者は通話を行うことができる（ステップ２４５）。
着信端末使用者が終話ボタン１９を押下するか、あるいは着信端末管理者が回線切断操作を行うと着信端末３、及び通信端末２は回線を切断する（ステップ２５０）。
そして、着信端末３は、保存電話番号を消去し（ステップ２５５）、タイマを終了する。
【００７１】
イベントが電話ボタンの押下の後に通話ボタン１８が押下されたものであった場合（ステップ２１０；電話ボタン後の通話ボタン）、着信端末３は、更に通話ボタン１８が短押しされたか長押しされたかを判断する（ステップ２６０）。
通話ボタン１８が短押しであった場合（ステップ２６５；短押し）、着信端末３は、押下された電話ボタンの電話番号を保存電話番号として保存し、押下された電話ボタンのタイマ２５を開始する（ステップ２７０）。
次に、着信端末３は、押下された電話ボタンの電話番号を用いて発信し、着信端末３の電話番号を通知して接続要求する（ステップ２７０）。
そして、着信端末３は、速やかに回線を切断する（ステップ２７５）。
【００７２】
一方、通話ボタン１８が長押しであった場合（ステップ２６０；長押し）、着信端末３は、押下された電話ボタンの電話番号を保存電話番号として保存し、押下された電話ボタンのタイマ２５を開始する（ステップ２８０）。
次に、着信端末３は、押下された電話ボタンの電話番号を用いて発信し、着信端末３の電話番号を通知して接続要求する（ステップ２８５）。
そして、着信端末３は、通信端末２が接続したのを確認した後、速やかに回線を切断する（ステップ２９５）。
【００７３】
次に、図１１のフローチャートを用いて、アプリケーションサーバ２０２を用いて着信端末３に電子メールアドレスや電子メール本文を登録する手順について説明する。この手順は経路４を用いて行われる。
なお、以下の例では、通信端末２からアプリケーションサーバ２０２にアクセスしているが、これはブラウザを備えたパケットネットワーク１０９に接続可能な任意の端末から行うことができる。
【００７４】
まず、着信端末管理者は、通信端末２を用いてアプリケーションサーバ２０２のウェブサイトにアクセスし、ユーザＩＤ、パスワードを用いてユーザ認証を受け、ログインする。
ログイン後ウェブサイト上では、着信端末３の現在位置問い合わせや電子メール登録など、各種の機能を選択できるメニュー画面が表示される。
着信端末管理者は電子メール登録を選択し、通信端末２は、アプリケーションサーバ２０２に電子メール登録要求を送信する（ステップ３０５）。
アプリケーションサーバ２０２は、通信端末２から電子メール登録要求を受信して（ステップ３１０）、通信端末２に電子メール登録情報を送信する（ステップ３１５）。
【００７５】
通信端末２は、アプリケーションサーバ２０２から電子メール登録情報を受信して、電子メール登録画面を表示する。
電子メール登録画面では、電子メールボタンのボタン番号ごとに電子メールアドレスが設定でき、複数の電子メール本文が電子メールアドレスとは対応させずに登録できるようになっている。
着信端末管理者は、このように構成された電子メール登録画面から、電子メールアドレスと、電子メール本文を入力する。
通信端末２は、入力された情報を記憶装置に記憶し、電子メール登録設定を受け付ける（ステップ３２０）。
そして、通信端末２は、記憶した電子メール登録設定の結果をアプリケーションサーバ２０２に送信する（ステップ３２５）。
【００７６】
アプリケーションサーバ２０２は、通信端末２から電子メール登録設定の結果を受信し、これを記憶する。
そして、アプリケーションサーバ２０２は、着信端末３の電話番号を宛先として、電子メール登録設定の結果で指定されている電子メールアドレスと電子メール本文を電子メールボタンデータに書き込ませるためのショートメッセージの作成をＳＭＳ配信要求サーバ２０３に指令し、これを着信端末３に送信させる（ステップ３３０）。
【００７７】
着信端末３は、通信端末２からショートメッセージを受信し、これを用いて電子メールボタンデータを着信端末管理者が指定した電子メールアドレスと電子メール本文に更新する（３３５）。
着信端末３は、更新を終了すると、更新終了をアプリケーションサーバ２０２に通知する（ステップ３４０）。
【００７８】
アプリケーションサーバ２０２は、着信端末３から更新終了の通知を受けると、通信端末２に電子メール登録終了情報を送信する（ステップ３４５）。
通信端末２は、電子メール登録終了情報を受信してこれをウェブサイト上に表示する（ステップ３５０）。
【００７９】
次に、図１２を用いて、着信端末３が通信端末２に電子メールを送信する手順について説明する。この手順は経路３を用いて行われる。
まず、着信端末使用者は、所望の電子メールアドレスが割り当てられている電子メールボタンを、所望の電子メール本文がディスプレイ１６に表示されるまで繰り返し押下する。
着信端末使用者は、このようにして所望の電子メール本文を表示した後、通話ボタン１８を押下する（ステップ３５１）。
すると、着信端末３は、当該ボタンに設定されている電子メールアドレスと選択された電子メール本文を用いて電子メールを作成し、アプリケーションサーバ２０２に送信する。
【００８０】
アプリケーションサーバ２０２は、着信端末３から電子メールを受信し（ステップ３５５）、これを通信端末２に送信する（ステップ３６０）。
このように、この例では、アプリケーションサーバ２０２は、電子メール配信サーバとしての機能を発揮している。また、他の電子メール配信サーバを用いることも可能である。
通信端末２は、アプリケーションサーバ２０２より電子メールを受信し、ディスプレイなどに表示する（ステップ３６５）。
【００８１】
以上、図１１、１２では、着信端末３に電子メールアドレスと電子メール本文を記憶させたが、アプリケーションサーバ２０２にこれらの情報を記憶させる変形例も可能である。以下、この変形例について説明する。
図１３は、変形例においてアプリケーションサーバ２０２に電子メールに関する情報を登録する手順を説明するためのフローチャートである。図１１と同じ内容のステップについては同じステップ番号を付し、説明を省略する。
【００８２】
ステップ３０５〜３２５は、図１１と同じである。
アプリケーションサーバ２０２は、図４（ｂ）で示した電子メールボタンデータを各着信端末３ごとに記憶しており、通信端末２から電子メール登録設定結果を受信すると、当該着信端末３の電子メールボタンデータを受信した電子メール登録設定結果によって更新する（ステップ３３１）。
ステップ３４５、３５０は図１１と同じである。
なお、アプリケーションサーバ２０２は、ショートメッセージにより、電子メール本文を着信端末３に送信しておく。着信端末３では、これら電子メール本文をディスプレイ１６に表示して着信端末使用者に電子メール本文を選択させる。
【００８３】
図１４は、変形例において通信端末２に電子メールを送信する手順を説明するためのフローチャートである。
まず、着信端末使用者が着信端末３にて所望の電子メールボタンを所望の電子メール本文が表示されるまで押下し、引き続き通話ボタン１８を押下する。
すると、着信端末３は、着信端末３の電話番号と、押下された電子メールボタンの番号と押下された回数などを含むボタン情報をアプリケーションサーバ２０２に送信する（ステップ３５２）。
【００８４】
通信端末２は、着信端末３からボタン情報を受信する（ステップ３５６）。そして、アプリケーションサーバ２０２は、ボタン情報に含まれる電話番号により着信端末３の電子メールボタンデータを特定し、押されたボタンと押下により選択した電子メール本文番号を用いて登録情報（電子メールアドレスと電子メール本文が含まれる）を照合する。
アプリケーションサーバ２０２は、押されたボタンから通信端末２の電子メールアドレスを取得し、押下により選択した電子メール本文番号を用いて電子メール本文を取得する。そして、この電子メール本文を内容とする電子メールを生成して通信端末２に送信する（ステップ３６１）。
ステップ３６５は図１２と同様であり、通信端末２は、電子メールを受信してディスプレイなどに表示する。
【００８５】
図１５（ａ）は、通信端末２からアプリケーションサーバ２０２のウェブサイトにアクセスする際のログイン画面を示した図である。
図に示したように、着信端末管理者はユーザＩＤとパスワードを入力した後、ログインボタンをクリックしてログインする。
ウェブサイトではログイン後にメニュー画面が表示され、着信端末管理者は、メニューを選択することにより電子メールの登録や着信端末３の現在位置を得ることができる。
【００８６】
図１５（ｂ）は、アプリケーションサーバ２０２のウェブサイトが提供する電子メール登録画面の一例を示した図である。
図に示したように、電子メール登録画面では、ボタン１情報〜ボタン３情報は、電子メールボタン１〜３に対応し、それぞれに電子メールアドレスを入力できるようになっている。一方、電子メール本文は、電子メールアドレスとは独立に複数個入力できるようになっている。
登録ボタンをクリックすると、設定内容がアプリケーションサーバ２０２に送信される。
【００８７】
次に、着信端末３に測位を行わせる手順について図１６のフローチャートを用いて説明する。
まず、着信端末管理者は、アプリケーションサーバ２０２のウェブサイトにアクセスしてログインし、メニュー画面から現在位置の問い合わせを選択する。
すると、通信端末２は、アプリケーションサーバ２０２に現在位置問い合わせ要求を送信する（ステップ４０５）。
【００８８】
アプリケーションサーバ２０２は、通信端末２から現在位置問い合わせ要求を受信し（ステップ４１０）、着信端末３に測位要求を送信する（ステップ４１５）。なお、この測位要求は、ＳＭＳ配信要求サーバ２０３、ＳＭＳ配信サーバ１０８を経てショートメッセージにより送信される。
着信端末３は、ショートメッセージにて測位要求を受信すると、ＧＰＳサーバ１０６と協働しながらＧＰＳ衛星４からのＧＰＳ信号を受信し、現在位置の測位を実施する（ステップ４２０）。
【００８９】
ここで、着信端末３からＧＰＳサーバ１０６に情報を送信する場合は「着信端末３→基地局１０１→基地局制御局１０３→データ通信変換装置１０２→パケットネットワーク１０９→認証サーバ１０５→ＧＰＳサーバ１０６」から成る経路が用いられ、ＧＰＳサーバ１０６から着信端末３に情報を送信する場合は「ＧＰＳサーバ１０６→認証サーバ１０５→パケットネットワーク１０９→データ通信変換装置１０２→基地局制御局１０３→基地局１０１→着信端末３」から成る経路が用いられる。
【００９０】
着信端末３は、ＧＰＳサーバ１０６と協働して現在位置の緯度経度などを表す測位計算結果を取得すると、これをアプリケーションサーバ２０２に送信する（ステップ４２５）。
アプリケーションサーバ２０２は、着信端末３から測位計算結果を受信し（ステップ４３０）、着信端末３の現在位置を表す地図を生成して通信端末２に送信する（ステップ４３５）。
通信端末２は、アプリケーションサーバ２０２から地図を受信し、これをディスプレイに表示する（ステップ４４０）。
【００９１】
図１７は、通信端末２のディスプレイに表示された地図画面の一例を示した図である。
この例では、着信端末使用者「けんちゃん」の現在位置が表示されており、着信端末管理者は、自宅から学校までの通学路上に着信端末使用者が存在することを確認することができる。
地図画面には、再問い合わせボタンがあり、これをクリックすると着信端末３の測位を再度行わせることができ、着信端末管理者は着信端末使用者の最新の現在位置を追跡することができる。
【００９２】
以上に説明した、本実施の形態において、着信端末３は、通信端末２に発信する際に、自己の電話番号を通信端末２に通知するが、この電話番号は通信端末２が着信端末３を識別するための識別情報として機能している。
また、着信端末３は、短押しモードと長押しモードを備えているが、何れか一方を備えるように構成することもできる。
このため、着信端末３は、自己の識別情報を記憶した識別情報記憶手段と、所定の端末（通信端末２）に接続要求する接続要求手段と、前記接続要求の際に、前記記憶した識別情報を前記所定の端末に送信する（自己の電話番号を通知する）識別情報送信手段と、前記所定の端末が前記接続要求に応じて接続する前に、前記所定の端末との回線を自動的に切断する第１の回線切断手段（短押しモード）と、前記所定の端末が前記接続要求に応じて接続した後に、前記所定の端末との回線を自動的に切断する第２の回線切断手段（長押しモード）と、の少なくとも一方の回線切断手段と、を具備したことを特徴とする携帯端末として機能している。
【００９３】
ここで、前記第２の回線接続手段（長押しモード）は、（通信端末２の接続要求中に交換機１０４から着信端末３に送信される呼出中の呼出音の中断を検出して回線を切断するなど）前記所定の端末が前記接続要求に応じて接続したことを検出した場合に前記回線を切断するように構成することができる。
【００９４】
また、着信端末３は、前記第１回線切断手段（短押しモード）と、前記第２回線切断手段（長押しモード）と、（通話ボタン１８が押下されている時間により、短押しモードと長押しモードの選択を受け付けることにより）前記第１回線切断手段と、前記第２回線切断手段と、の選択を受け付ける選択受付手段と、を具備し、前記選択を受け付けた回線切断手段が前記回線の切断を行う機能を備えている。
また、着信端末３は、前記所定の端末（通信端末２）から接続要求があった場合に、前記所定の端末と接続する接続手段を具備している。
更に、着信端末３は、前記回線切断手段で回線を切断してからの時間を計測する時間計測手段（タイマ２５）を具備し、前記接続手段は、前記計測している時間が所定時間に達するまでは、前記所定の端末を除く端末からの接続を拒否する機能を備えている。
そして、着信端末３は、電話ボタンごとに時間計測が可能であり、タイマ２５が作動している電話ボタンの通信端末２以外の端末からの接続を拒否するため、着信端末３は、前記所定の端末（通信端末２）が複数存在する場合、前記時間計測手段は、前記複数存在する所定の端末ごとに回線を切断してからの時間を計測し、前記接続手段は、前記計測している時間が所定時間に達する前の所定の端末を除く端末からの接続要求を拒否する。
また、着信端末３は、文書情報（電子メール本文）を複数記憶する文書記憶手段と、電子メールボタンの選択により、前記記憶した文書情報の選択を受け付ける文書選択受付手段と、前記選択を受け付けた文書情報を前記所定の端末（通信端末２）に送信する文書情報送信手段と、を備えている。
【００９５】
以上に説明した本実施の形態により次のような効果を得ることができる。
（１）短押しモードでは、着信端末３に電話料金を発生させずに通信端末２に着信履歴を残すことができる。
（２）長押しモードでは、着信端末管理者を確実に通信端末２に呼び出すことができる。また、通信端末２を呼び出した後速やかに回線を切断するため、着信端末３に発生する通話料金を最低の値（基本料金）に抑えることができる。
（３）着信端末３の価格を通信料などを含めたプリペイド式とすることにより、口座開設を要さずに着信端末３を販売することができる。
（４）着信端末３からの発信を予め登録した通信端末２に限定することができる。これによって、着信端末使用者が登録していない端末に電話をかけることを防止することができる。
（５）着信端末３は、登録モード中に着信した電話番号を登録するため、容易かつ確実に通信端末２の電話番号を登録することができる。
（６）予め登録した電子メール本文を通信端末２に送信するため、着信端末使用者は電子メールの送信操作を行うだけで通信端末２に電子メールを送信することができる。
【００９６】
なお、通信端末２が、携帯電話である場合、着信端末３との通信に制約はないが、通信端末２がパーソナルコンピュータである場合は、着信端末３との通話機能をインストールすることにより、着信端末３と通話できる。また、通信端末２が固定電話である場合、ブラウザを備えていないため、アプリケーションサーバ２０２のウェブサイトにアクセスするためには、他の端末を用いる。
【００９７】
本実施形態としては次のように構成することもできる。
（１）構成１
自己の識別情報を記憶した識別情報記憶手段と、
所定の端末に接続要求する接続要求手段と、
前記接続要求の際に、前記記憶した識別情報を前記所定の端末に送信する識別情報送信手段と、
前記所定の端末が前記接続要求に応じて接続する前に、前記所定の端末との回線を自動的に切断する第１の回線切断手段と、前記所定の端末が前記接続要求に応じて接続した後に、前記所定の端末との回線を自動的に切断する第２の回線切断手段と、の少なくとも一方の回線切断手段と、
を具備したことを特徴とする携帯端末。
（２）構成２
前記第２の回線切断手段は、前記所定の端末が前記接続要求に応じて接続したことを検出した場合に前記回線を切断することを特徴とする構成１に記載の携帯端末。
（３）構成３
前記第１回線切断手段と、
前記第２回線切断手段と、
前記第１回線切断手段と、前記第２回線切断手段と、の選択を受け付ける選択受付手段と、
を具備し、
前記選択を受け付けた回線切断手段が前記回線の切断を行うことを特徴とする構成１、又は構成２に記載の携帯端末。
（４）構成４
前記所定の端末から接続要求があった場合に、前記所定の端末と接続する接続手段を具備したことを特徴とする構成１、構成２、又は構成３に記載の携帯端末。
（５）構成５
前記回線切断手段で回線を切断してからの時間を計測する時間計測手段を具備し、
前記接続手段は、前記計測している時間が所定時間に達するまでは、前記所定の端末を除く端末からの接続を拒否することを特徴とする構成４に記載の携帯端末。
（６）構成６
前記所定の端末は複数存在し、
前記時間計測手段は、前記複数存在する所定の端末ごとに回線を切断してからの時間を計測し、
前記接続手段は、前記計測している時間が所定時間に達する前の所定の端末を除く端末からの接続要求を拒否することを特徴とする構成５に記載の携帯端末。
（７）構成７
文書情報を複数記憶する文書記憶手段と、
前記記憶した文書情報の選択を受け付ける文書選択受付手段と、
前記選択を受け付けた文書情報を前記所定の端末に送信する文書情報送信手段と、
を具備したことを特徴とする構成１から構成６に記載の携帯端末。
（８）構成８
自己の識別情報を記憶した識別情報記憶手段と、接続要求手段と、識別情報送信手段と、前記所定の端末が前記接続要求に応じて接続する前に、前記所定の端末との回線を自動的に切断する第１の回線切断手段と、前記所定の端末が前記接続要求に応じて接続した後に、前記所定の端末との回線を自動的に切断する第２の回線切断手段と、を備えた携帯端末において、
前記接続要求手段によって、所定の端末に接続要求する接続要求ステップと、
前記識別情報送信手段によって、前記接続要求の際に、前記記憶した識別情報を前記所定の端末に送信する識別情報送信ステップと、
前記第１の回線切断手段と、前記第２の回線切断手段と、の少なくとも一方によって回線を切断する回線切断ステップと、
を備えたことを特徴とする端末アクセス方法。
【符号の説明】
【００９８】
１  通信システム
２  通信端末
３  着信端末
４  ＧＰＳ衛星
５  音声回線ネットワーク
１００  キャリアシステム
１０１  基地局
１０２  データ通信変換装置
１０３  基地局制御局
１０４  交換機
１０５  認証サーバ
１０６  ＧＰＳサーバ
１０７  基地局データベース
１０８  ＳＭＳ配信サーバ
１０９  パケットネットワーク
２００  サービス会社システム
２０１  認証サーバ
２０２  アプリケーションサーバ
２０３  ＳＭＳ配信要求サーバ
３０１  警察機関システム
３０２  消防機関システム
３０３  海上保安庁機関システム
【図１】
2010183608.tif 000003
【図２】
2010183608.tif 000004
【図３】
2010183608.tif 000005
【図４】
2010183608.tif 000006
【図５】
2010183608.tif 000007
【図６】
2010183608.tif 000008
【図７】
2010183608.tif 000009
【図８】
2010183608.tif 000010
【図９】
2010183608.tif 000011
【図１０】
2010183608.tif 000012
【図１１】
2010183608.tif 000013
【図１２】
2010183608.tif 000014
【図１３】
2010183608.tif 000015
【図１４】
2010183608.tif 000016
【図１５】
2010183608.tif 000017
【図１６】
2010183608.tif 000018
【図１７】
2010183608.tif 000019